(57)【要約】【課題】  井戸水の除菌のための薬液注入が容易なポンプ装置を提供すること。【解決手段】  圧力タンクの外周円筒部に止水フランジを設け、その止水フランジのめねじ部が薬液注入口になる形状とし、止水フランジのめねじ径と薬液を注入するジョイント部のおねじ径を同径にした。さらに、圧力タンクを耐カルキ性に優れた材質で構成した。本発明によれば、井戸水等の除菌に用いる次亜塩素酸ナトリウム溶液等の薬液を、直接ポンプ装置の圧力タンクに注入できるため、従来のような配管作業が不要になり取付性が格段に向上する。また、薬液をポンプ装置の圧力タンクに直接注入するので、圧力タンクが次亜塩素酸ナトリウム溶液と井戸水を混合させるための混合タンクの働きも兼ねる。したがって混合タンクも不要になり大幅にコストダウンを図ることができる。【選択図】  図６
2005351186.tif 000002
【特許請求の範囲】
【請求項１】
モータの回転軸がケーシング内に設けられた羽根車を回転させてポンプ作用を行うポンプ部と、前記ポンプ部で加圧した井戸水等を畜水する圧力タンクを有するポンプ装置において、前記ポンプ部で揚水した井戸水等を除菌するために、前記圧力タンクの外周円筒部に、次亜塩素酸ナトリウム溶液等の薬液を注入する薬液注入口を設けたことを特徴とするポンプ装置。
【請求項２】
請求項１記載のポンプ装置において、
前記圧力タンク外周円筒部の何れかの位置には、給水管と接続可能な吐出フランジと、吐出フランジと相互に位置変更可能な複数個の止水フランジが具備されており、前記止水フランジの１個所を薬液注入口にしたことを特徴とするポンプ装置。
【請求項３】
請求項１と２記載のポンプ装置において、
前記止水フランジには、圧力タンク内の水を抜くためのドレンキャップが螺着されており、前記ドレンキャップを外すことによって、止水フランジのめねじ部が薬液注入口になる形状にしたことを特徴とするポンプ装置。
【請求項４】
請求項１から３記載のポンプ装置において、
前記止水フランジのめねじ径と、薬液を注入するジョイント部のおねじ径を同径にしたことを特徴とするポンプ装置。
【請求項５】
請求項１から４記載のポンプ装置において、
前記圧力タンクを耐カルキ性に優れた材質で構成したことを特徴とするポンプ装置。
【請求項６】
請求項１から５記載のポンプ装置において、
前記圧力タンクを、ステンレス鋼板製の胴体と合成樹脂製の鏡板で形成し、かつ胴体と鏡板とを結合する結合部には水封用Ｏリングを介在させ、胴体と鏡板の結合をスピニング加工で巻締めする加締結合で構成したことを特徴とするポンプ。
【発明の詳細な説明】
【技術分野】
【０００１】
本発明はポンプ装置に係り、更に詳細にはポンプ装置の圧力タンクに設けられた止水フランジの構造に関するものである。
【背景技術】
【０００２】
井戸水等を除菌する方法としては、一般的には除菌装置を使用する。除菌装置は図７に示すように井戸１より給水するポンプ装置２の近傍に設置されて、ポンプ装置２の運転と同期して小形の定量ポンプ３を稼動することで薬液タンク４内の次亜塩素酸ナトリウム溶液５をポンプ装置２と接続された給水管１２中に注入する方式を採っている。また、給水管１２中に注入した次亜塩素酸ナトリウム溶液５と井戸水を効率よく混合させるために混合タンク１０を設置する使用例もある。
【０００３】
ポンプ装置２は圧力タンク２１と圧力検出器７を有する自動式ポンプで、家庭の水栓８の開閉に基づき自動運転を行うものであり、除菌装置９もポンプ装置２の運転と同期して稼動するように電気的に接続されているのが一般的である。
【０００４】
水栓８を開いて水を使用した際には、圧力タンク２１内の圧力が低下して圧力検出器７が起動圧力を検知してポンプ装置２は運転を開始し、それに同期して除菌装置９の定量ポンプ３も稼動して次亜塩素酸ナトリウム溶液５を給水管１２中に注入するように構成されているものである。
【発明の開示】
【発明が解決しようとする課題】
【０００５】
上記従来の方法によると、次亜塩素酸ナトリウム溶液を給水管に注入する方法のため、給水管に薬液注入口を設ける必要がある。その方法として、まず薬液を注入する位置を決め、その部分の給水管を切断し、切断部両端に市販の規格品のチーズを接続する。接続したチーズの開放口が薬液注入口となる。また、次亜塩素酸ナトリウム溶液と井戸水を混合させるために混合タンクを設置する場合も同様に、給水管を切断し、切断部両端に混合タンクを設置しなければならない。
【０００６】
この方法によると、配管作業が必要なため取付性が非常に悪く、さらには、市販のチーズや場合によっては混合タンクを設置する必要があるためコストも高くなる。
【０００７】
さらには、混合タンクを設置しない場合で、薬液注入口から水栓までの給水管の長さが短いと次亜塩素酸ナトリウム溶液と井戸水がよく混合できず、薬液濃度がばらつき、確実に除菌できないという問題があった。
【課題を解決するための手段】
【０００８】
本発明の特徴は、圧力タンクの外周円筒部に、次亜塩素酸ナトリウム溶液等の薬液を注入する薬液注入口を設けた。
【０００９】
また、前記圧力タンク外周円筒部の何れかの位置に設けた止水フランジの１個所を薬液注入口にした。
【００１０】
さらには、前記止水フランジには、圧力タンク内の水を抜くためのドレンキャップが螺着されており、前記ドレンキャップを外すことによって、止水フランジのめねじ部が薬液注入口になる形状とし、前記止水フランジのめねじ径と、薬液を注入するジョイント部のおねじ径を同径にした。
【００１１】
また、前記圧力タンクを耐カルキ性に優れた材質とするため、ステンレス鋼板製の胴体と合成樹脂製の鏡板で形成し、かつ胴体と鏡板とを結合する結合部には水封用Ｏリングを介在させ、胴体と鏡板の結合をスピニング加工で巻締めする加締結合で構成した。
【発明の効果】
【００１２】
本発明によると、井戸水等の除菌に用いる次亜塩素酸ナトリウム溶液等の薬液を、直接ポンプ装置の圧力タンクに注入できるため、従来のような配管作業が不要になり取付性が格段に向上する。
【００１３】
また、薬液をポンプ装置の圧力タンクに直接注入するので、圧力タンクが次亜塩素酸ナトリウム溶液と井戸水を混合させるための混合タンクの働きも兼ねる。したがって混合タンクも不要になり大幅にコストダウンを図ることができる。
【発明を実施するための最良の形態】
【００１４】
以下、本発明の実施形態を本発明の実施例の図面に沿って説明する。
【００１５】
井戸水等を除菌する一般的な方法としては、図７に示すように除菌装置９は、井戸１より給水するポンプ装置２の近傍に設置されて、ポンプ装置２の運転と同期して小形の定量ポンプ３を稼動することで薬液タンク４内の次亜塩素酸ナトリウム溶液５をポンプ装置２と接続された給水管１２中に注入する。
【００１６】
ポンプ装置２は圧力タンク２１と圧力検出器７を有する自動式ポンプで、家庭の水栓８の開閉に基づき自動運転を行うものであり、除菌装置９もポンプ装置２の運転と同期して稼動するように電気的に接続されているのが一般的である。
【００１７】
水栓８を開いて水を使用した際には、圧力タンク２１内の圧力が低下して圧力検出器７が起動圧力を検知してポンプ装置２は運転を開始し、それに同期して除菌装置９の定量ポンプ３も稼動して次亜塩素酸ナトリウム溶液５を給水管１２中に注入するように構成されている。
【００１８】
給水管１２中に注入するにあたっては、給水管１２を切断し、切断部両端に市販の規格品のチーズ１３を接続する。接続したチーズ１３の開放口に除菌装置９の薬液注入ジョイントを接続する。
【００１９】
また、給水管１２中に注入した次亜塩素酸ナトリウム溶液５と井戸水を効率よく混合させるために混合タンク１０を設置する使用例もある。
【００２０】
この場合も同様に、給水管１２を切断し、切断部両端に混合タンク１０を設置しなければならない。
【００２１】
この方法によると、配管作業が必要なため取付性が非常に悪く、さらには、市販のチーズや場合によっては混合タンクを設置する必要があるためコストも高くなる。
【００２２】
さらには、混合タンク１０を設置しない場合で、チーズ１３の薬液注入口から水栓８までの給水管の長さＬが短いと次亜塩素酸ナトリウム溶液５と井戸水がよく混合できず、薬液濃度がばらつき、確実に除菌できないという問題があった。
【００２３】
次に、本発明のポンプ装置の概要について図１〜図３を用いて説明する。
【００２４】
ポンプ装置２は、圧力タンク２１と、この圧力タンク２１の上に配置されたモータ２２とモータ２２を制御する制御基板２３と、それらを覆うポンプカバー２４とが備わる。
【００２５】
ポンプ部２５は、羽根車２６と、この羽根車２６を内置するケーシング２７と、ケーシング２７の前面を閉じるケーシングカバー２８を有する。このポンプは、ウェスコポンプと称するもので、ケーシング２７に吸込口２７（ａ）と吐出口２７（ｂ）を有する。なお、本発明の説明は、代表的ポンプであるウェスコポンプを例示するが、本発明はウェスコポンプに限定されるものではない。
【００２６】
ポンプ部２５の上部には、気水分離室２９が備わる。気水分離室２９は圧力タンク２１の流入口に連通するように配置され、ねじ等でポンプ部２５に固定される。また、吸い込み流路に連通する吸い込み室３０には逆止弁３１が備わる。この逆止弁３１は吸込口側からケーシング２７側への水の流れを許すが、逆向きの流れを阻止するよう動作する。吸い込み流路の吸込継手３２は、圧力タンク２１に取り付けられる。
【００２７】
圧力タンク２１は、胴体２１（ａ）と鏡板２１（ｂ）で形成し、かつ胴体２１（ａ）と鏡板２１（ｂ）とを結合する結合部には水封用Ｏリング２１（ｃ）を介在させ、胴体２１（ａ）と鏡板２１（ｂ）の結合をスピニング加工で巻締めする加締結合で構成している。
【００２８】
一方、圧力タンク２１の外周円筒部には揚水されて加圧された水を水栓へ送水するために設けられる給水管接続用の吐出フランジ５１が接続されている。
【００２９】
気水分離室２９の上部にはねじ込み式の呼び水給水用栓３３が備わる。この呼び水給水用栓３３を外して呼び水を給水する。
【００３０】
ポンプ装置２の運転はモータ２２を運転することにより行われる。まず、自吸運転が行われ、自吸運転が終了してから揚水運転に移行するのである。
【００３１】
自吸運転では、ケーシング吐出口２７（ｂ）から気水分離室内２９の呼び水が還流して、空気分が吐出ニップル３４より圧力タンク２１内へ排出され、ポンプ部２５のケーシング吸込口２７（ａ）から上流側の空気が徐々に抜けて水が満たされて行く。そして、水が全部に満たされると、自吸運転が終了し、揚水運転に移行するのである。
【００３２】
揚水運転では、吸い上げられた水が吐出フランジ５１を介して給水管から送り出されるのである。かかる揚水運転で、給水管につながる流路が閉じられると、給水管から下流側の圧力が上がる。通常は、圧力センサー３５が作動してモータ２２の運転が止まる。
【００３３】
次に、本発明の主要部について述べる。
【００３４】
図３に示すように、圧力タンク２１の外周円筒部の何れかの位置には、給水管と接続可能な吐出フランジ５１と、圧力タンク２１内の水を止水する止水フランジ５２と５３が具備されている。吐出フランジ５１と、止水フランジ５２、５３は夫々相互に位置変更可能な構造になっているため、給水管の位置を自在に変更可能としている。
【００３５】
止水フランジ５２は圧力タンク２１内の水を単純に止水する機能であるが、止水フランジ５３は、ドレンキャップ５４が螺着可能な構成になっている。その詳細断面図を図４に示す。通常はドレンキャップ５４を螺着したまま使用し、止水フランジ５２と同様に止水機能を持つが、例えば、ポンプ装置２の保守点検等で圧力タンク２１内の水を抜く必要がある時は、図５に示すように、止水フランジ５３に螺着されたドレンキャップ５４を外すことにより圧力タンク２１内の水を抜くことができる。
【００３６】
本発明は、止水フランジ５３からドレンキャップ５４を外すことに着眼した。すなわち、ドレンキャップ５４を外せば、止水フランジ５３のめねじ部５３（ａ）が露出する。このめねじ部５３（ａ）を次亜塩素酸ナトリウム溶液等の薬液注入口とした。
【００３７】
つまり、図６に示すように、止水フランジ５３のめねじ部５３（ａ）のねじ径と、薬液を注入するジョイント部６０のおねじ径を同径にすることにより、止水フランジ５３に薬液を注入するジョイント部６０が螺着可能となる。この方法による薬液注入の概略説明図を図８に示す。
【００３８】
すなわち、次亜塩素酸ナトリウム溶液等の薬液を、直接ポンプ装置２の圧力タンク２１内に注入できるため、従来のような配管作業が不要になり取付性が格段に向上する。
【００３９】
また、薬液を圧力タンク２１内に直接注入するので、圧力タンク２１が次亜塩素酸ナトリウム溶液と井戸水を混合させるための混合タンク１０の働きも兼ねる。
【００４０】
つまり、圧力タンク２１内で次亜塩素酸ナトリウム溶液と井戸水を効率よく混合させることができるため、混合タンク１０も不要になり大幅にコストダウンを図ることができる。
【００４１】
さらには、次亜塩素酸ナトリウム溶液による圧力タンク２１の腐食を考慮して、圧力タンク２１を、ステンレス鋼板製の胴体２１（ａ）と合成樹脂製の鏡板２１（ｂ）で形成し、かつ胴体２１（ａ）と鏡板２１（ｂ）とを結合する結合部には水封用Ｏリング２１（ｃ）を介在させ、胴体２１（ａ）と鏡板２１（ｂ）の結合をスピニング加工で巻締めする加締結合で構成した。
【００４２】
これにより、次亜塩素酸ナトリウム溶液による圧力タンク２１の腐食を防止することが可能である。
【図面の簡単な説明】
【００４３】
【図１】本発明の一実施例に係るもので、ポンプ装置の縦断面図である。
【図２】図１の右側面図である。
【図３】ポンプカバーを外した図２の平面図である。
【図４】図１のＡ部の詳細断面図である。
【図５】図４の状態からドレンキャップを外した断面図である。
【図６】薬液注入ジョイントを止水フランジに螺着させた状態の断面図である。
【図７】従来の薬液注入方法の概略説明図である。
【図８】本発明の薬液注入方法の概略説明図である。
【符号の説明】
【００４４】
２１…圧力タンク、５２…止水フランジ、５３…止水フランジ、５４…ドレンキャップ、６０…ジョイント部。
【図１】
2005351186.tif 000003
【図２】
2005351186.tif 000004
【図３】
2005351186.tif 000005
【図４】
2005351186.tif 000006
【図５】
2005351186.tif 000007
【図６】
2005351186.tif 000008
【図７】
2005351186.tif 000009
【図８】
2005351186.tif 000010